(57)【要約】      （修正有）【課題】２枚のマットレスを左右に接合させて両マットレスによる広面積の寝場所を形成したものにおいて、両マットレスがベッド枠体上で相対的に位置ずれしないような両マットレス位置ずれ防止構造を提供する。【解決手段】２枚のマットレス２，２を左右に接合させて広面積状態で使用する両マットレス２，２において、両マットレス２，２を左右に接合させた状態の外周側面２０，２０の全長を縛り得るベルト長さを有したベルト３１と該ベルト３１にベルト長さ調整用のアジャスタ３３を設けた固縛ベルト３を使用し、両マットレス２，２を左右に接合させた状態で両マットレス２，２の外周側面２０，２０の全周を固縛ベルト３で緊縛していることにより、両マットレス２，２が相対的に左右外側（離間する側）に位置ずれしないようにしている。【選択図】図１
0003210677.tif 000002
【実用新案登録請求の範囲】
【請求項１】
２枚のマットレス（２，２）を左右に接合させて広面積状態で使用する両マットレス（２，２）において、
上記両マットレス（２，２）を左右に接合させた状態の外周側面（２０，２０）の全長を縛り得るベルト長さを有したベルト（３１）と該ベルト（３１）にベルト長さ調整用のアジャスタ（３３）を設けた固縛ベルト（３）を使用し、
上記両マットレス（２，２）を左右に接合させた状態で上記両マットレス（２，２）の外周側面（２０，２０）の全周を上記固縛ベルト（３）で緊縛している、
ことを特徴とする２つのマットレスの位置ずれ防止構造。
【考案の詳細な説明】
【技術分野】
【０００１】
本考案は、２枚のマットレスを左右に接合させて両マットレスによる広面積の寝場所を形成したものにおいて、両マットレス間に隙間が生じないようにするための２つのマットレスの位置ずれ防止構造に関するものである。
【背景技術】
【０００２】
従来から、例えば夫婦と幼児の合計３人がいわゆる「川の字」状に寝られるような広面積のベッドスペース（寝場所）を確保するのに、図２に示すように２台のベッド１．１（各ベッド１はベッド枠体１０上にマットレス２を載置したもの）を左右に接合させることが行われている。尚、広面積のベッドスペース（寝場所）は、ベッド枠体１０を使用しないで床面の上に直接２枚のマットレス２，２を左右に接合させて形成する場合もある。
【０００３】
ところで、図２に示すように、２連ベッドに載置される各単体マットレス２，２の大きさは、小さいもので左右幅が７０cm程度（２連で左右幅が１４０cm程度になる）から、大きいもので左右幅が１４０cm程度（２連で左右幅が２８０cm程度になる）のものが採用される。
【０００４】
そして、この種の２連ベッド（例えば図２のもの）では、両マットレス２，２を広面積のマットレスカバー（図示省略）で包み込んで、その上に夫婦２人（符号Ｍ１，Ｍ２）と幼児１人（符号Ｍ３）の３人が「川の字」状に寝られるようにしている。そのとき、２連のマットレス２，２上における３人の中間部で寝る幼児１人（符号Ｍ３）は、両マットレス２，２の接合部２１付近に位置することが多い。尚、以下の説明では、両マットレス２，２の接合部２１のことを、単にマットレス接合部２１ということがある。
【０００５】
ところで、図２に示す２連の各ベッド１，１は、それぞれベッド枠体１０上にマットレス２を単に載置しているだけなので、当初はマットレス接合部２１となる対向側面２２，２２同士がほぼ接触状態であっても、マットレス２，２上に載った人の動き（例えば寝返り等）により、各マットレス２，２が各ベッド枠体１０，１０上で徐々に左右外側に位置ずれすることがある（符号２′，２′参照）。尚、両マットレス２，２は、ベッド枠体１０を使用しないで床の上に直接設置することもあるが、その場合も両マットレス２，２が相対的に左右外側に位置ずれすることがある。
【０００６】
そして、このように、両マットレスが符号２′，２′で示すように左右外側に位置ずれすると、マットレス接合部２１の対向側面２２，２２が符号２２′，２２′で示すように左右に離間して該対向側面２２′，２２′間に隙間（符号Ｓ）が生じるようになる。
【考案の概要】
【考案が解決しようとする課題】
【０００７】
ところが、図２のように、２連のベッド１，１（両マットレス２，２）上に夫婦２人（符号Ｍ１，Ｍ２）と幼児１人（符号Ｍ３）の３人が「川の字」状に寝る場合で、上記のようにマットレス接合部２１の対向側面２２′，２２′間に隙間（符号Ｓ）が生じると、その上にマットレスカバー（図示省略）を敷いていても、マットレス接合部２１にある隙間Ｓによって違和感（凹凸感）が生じ、寝心地が悪いものとなる。
【０００８】
尚、上記のように、マットレス接合部２１に生じる隙間Ｓによる違和感（凹凸感）を解消するために、該マットレス近接部２１の上（マットレスカバーの上）に別のパッドを敷くことが考えられるが、パッドをマットレスカバーの上に敷いたでけでは、就寝中の寝返り等により該パッドが位置ずれしてしまい、その場合には身体にマットレス接合部２１の隙間Ｓによる悪影響（違和感）を受けることになる。
【０００９】
そこで、本考案は、２枚のマットレスを左右に接合させて広面積の寝場所を形成したものにおいて、両マットレスが左右に位置ずれする（マットレス接合部に隙間ができる）のを防止できるようにした２つのマットレスの位置ずれ防止構造を提供することを目的としている。
【課題を解決するための手段】
【００１０】
本考案は、上記課題を解決するための手段として次の構成を有している。
【００１１】
本考案は、添付の図１に例示するように、２枚のマットレス２，２を左右に接合させて広面積状態で使用する場合において、２つのマットレスの位置ずれ防止構造を対象としている。尚、以下の説明においては、本考案の名称である「２つのマットレスの位置ずれ防止構造」を簡略化して「両マットレス位置ずれ防止構造」ということがある。
【００１２】
そして、本考案の両マットレス位置ずれ防止構造は、両マットレス２，２を左右に接合させた状態の外周側面２０，２０の全長を縛り得るベルト長さを有したベルト３１と該ベルト３１にベルト長さ調整用のアジャスタ（３３）を設けた固縛ベルト３を使用し、両マットレス２，２を左右に接合させた状態で両マットレス２，２の外周側面２０，２０の全周を固縛ベルト３で緊縛していることを特徴とするものである。
【００１３】
ところで、本考案の背景として、上記「背景技術」の項でも説明したように、広面積のベッドスペースを確保するのに２枚のマットレスを左右に接合させただけでは、両マットレス２，２はそれぞれベッド枠体１０，１０上に単に載置しているだけなので、マットレス２，２上に載った人の動き（例えば寝返り等）により、各マットレス２，２が各ベッド枠体１０，１０上で徐々に左右外側に位置ずれすることがある（図２の符号２′，２′参照）。尚、両マットレスを直に床面上に並置した場合も、各マットレスが左右に位置ずれすることがある。そして、各マットレスが左右に位置ずれすると、両マットレスの接合部２１に隙間ができ、その隙間上に寝る人（例えば図２の幼児Ｍ３）は違和感を感じる（寝心地が悪くなる）。
【００１４】
そこで、本考案では、上記のように２枚のマットレス２，２を左右に接合させて広面積状態で使用する際に、両マットレス２，２の外周側面２０，２０の全周を固縛ベルト３で緊縛しているので、各マットレス２，２上で人が動いても、両マットレス２，２が相対的に左右外側に位置ずれすることがない。
【考案の効果】
【００１５】
本考案（両マットレス位置ずれ防止構造）は、２枚のマットレス２，２を左右に接合させて広面積状態で使用する両マットレス２，２において、両マットレス２，２の外周側面２０，２０の全周を固縛ベルト３で緊縛しているので、各マットレス２，２上で人が動いても、両マットレス２，２が相対的に左右外側に位置ずれすることがない。
【００１６】
従って、本考案では、両マットレス２，２の接合部２１が離間しない（隙間ができない）ので、マットレス接合部２１の上に寝る人（幼児）がいても、その人に隙間ができることによる違和感は発生しない（寝心地が悪くならない）という効果がある。
【図面の簡単な説明】
【００１７】
【図１】本願実施例の両マットレス位置ずれ防止構造を示す斜視図である。
【図２】ベッドを２台接合させて使用する場合の従来の問題点説明図である。
【考案を実施するための形態】
【００１８】
以下、図１を参照して本願実施例の２つのマットレスの位置ずれ防止構造を説明する。尚、この実施例の説明においても、考案の名称である「２つのマットレスの位置ずれ防止構造」を単に「両マットレス位置ずれ防止構造」ということがあるとともに、「両マットレス２，２の接合部２１」を単に「マットレス接合部２１」ということがある。
【００１９】
又、図１の実施例では、２枚のマットレス２，２をそれぞれベッド枠体１０，１０上に載置して２連ベッド１，１として使用しているが、他の実施例では両マットレス２，２を直に床面上に設置したものにも適用できるものである。
【００２０】
ところで、図２（従来例）に示すように、２台のベッド１，１を接合させて広面積状態で使用するものでは、上記「背景技術」の項でも説明したように、マットレス上で人が動くことでマットレス２，２が左右外側に位置ずれしてマットレス接合部２１が離間する（対向側面２２，２２間に隙間Ｓができる）ことがあり、該マットレス接合部２１に隙間Ｓができるとその上に寝る人（幼児Ｍ３）の寝心地が悪くなる。
【００２１】
そこで、以下に示す本願実施例の両マットレス位置ずれ防止構造は、２枚のマットレス２，２を左右に接合した広面積状態で、両マットレス２，２が相対的に位置ずれしない（マットレス接合部２１が離間しない）ように工夫したものである。
【００２２】
図１に示す実施例は、ベッド枠体１０上にマットレス２を載置してなるベッド１を２台接合させて広面積状態で使用する２連ベッド１，１として使用したものにおいて、両マットレス２，２の位置ずれ防止構造を対象にしている。
【００２３】
そして、この実施例の両マットレス位置ずれ防止構造は、両マットレス２，２を左右に接合させた状態の外周側面２０，２０の全長を縛り得るベルト長さを有した固縛ベルト３を使用し、両マットレス２，２を左右に接合させた状態で両マットレス２，２の外周側面２０，２０の全周を固縛ベルト３で緊縛していることを特徴としている。
【００２４】
固縛ベルト３は、所定長さを有した長尺のベルト３１と、該ベルト３１の両端部を着脱自在に連結する連結具３２と、ベルト３１の中間部に設けた長さ調節用のアジャスタ３３とを備えている。
【００２５】
連結具３２は、相互に合体・離脱自在な２つの連結片３２ａ，３２ｂで構成されている。尚、両連結片３２ａ，３２ｂはそれぞれベルト３１の各端部に取付けられている。
【００２６】
アジャスタ３３は、ベルト３１の２重部分の長さを調整することでベルト３１の全周長さを調整し得るものである。
【００２７】
尚、この種の２連マットレスとして使用される単体マットレス２の大きさは、小さいものでは幅７０cm×長さ２００cm程度のものがあり、大きいものでは幅１４０cm×長さ２００cmのものがある。そして、小さい単体マットレス２を２連で使用する場合の外周側面２０，２０の全周長さは、７０cm×４＋２００cm×２＝６８０cmとなり、大きい単体マットレス２を２連で使用する場合の外周側面２０，２０の全周長さは、１４０cm×４＋２００cm×２＝９６０cmとなる。
【００２８】
本願実施例では、使用するベルト３１の長さとして、大きい単体マットレス２用（幅１４０cmのマットレスでは２連マットレスの外周側面の全周長さが９６０cmとなる）に対応できるように最大長さが例えば１０ｍ（１０００cm）程度になる単一長さのものを採用し、小さい単体マットレス２用（幅７０cmのマットレスでは２連マットレスの外周側面の全周長さが６８０cmとなる）に使用する場合は、上記アジャスタ３３でベルト３１の全長を調整する。従って、この実施例では、単一長さ（例えば最大長さが１０ｍ）のベルト３１で各種大きさのマットレス２，２に対応できるようにしている。
【００２９】
図１に示す実施例の両マットレス位置ずれ防止構造では、２台のベッド枠体１０，１０上に載置している両マットレス２，２を左右に接合させた状態で、両マットレス２，２の外周側面２０，２０の全周を固縛ベルト３で緊縛しているが、その緊縛手順は次のように行う。
【００３０】
まず、固縛ベルト３のベルト３１を両マットレス２，２の外周側面に巻き回す前に、ベルト３１の全長を２連のマットレス２，２の外周側面２０，２０の全周長さよりやや長い長さに調整しておき、連結具３２の各連結片３２ａ，３２ｂを離脱させておく。
【００３１】
次に、ベルト３１を２つのマットレス２，２の外周側面２０，２０の全周に巻付けた後、連結具３２の両連結片３２ａ，３２ｂを合体させる（このときベルト３１による縛りはやや緩い状態である）。
【００３２】
そして、最後にアジャスタ３３部分でベルト３１を緊張させ、固縛ベルト３で両マットレス２，２を強固に緊縛することができる。
【００３３】
このように、固縛ベルト３で両マットレス２，２の外周側面２０，２０の全周を緊縛すると、各マットレス２，２上で人が動いても両マットレス２，２が相対的に左右外側（離間する側）に位置ずれすることがないので、マットレス接合部２１に隙間が生じることがない。
【００３４】
尚、図１の実施例では、固縛ベルト３で両マットレス２，２を緊縛した後に、２連用の広面積のマットレスカバー（図示省略）で包み込んでもよいが、固縛ベルト３で両マットレス２，２を緊縛する前に、各マットレス２，２ごとに単マットレス用の小面積のマットレスカバーを掛けておき、そのカバー掛け状態の両マットレス２，２の外周側面２０，２０を固縛ベルト３で緊縛するようにしてもよい。
【符号の説明】
【００３５】
１はベッド、２はマットレス、３は固縛ベルト、１０はベッド枠体、２０は外周側面、２１はマットレス接合部、２２は対向側面、３１はベルト、３２は連結具、３３はアジャスタである。
【図１】
0003210677.tif 000003
【図２】
0003210677.tif 000004